(57)【要約】      （修正有）【課題】梱包箱内に収納する中仕切り構造体の強度を向上させることができる梱包構造を提供する。【解決手段】平行な２枚の縦仕切り板２ａ，２ａにそれぞれ底部２ｃを一体に構成した複数の縦仕切り部材２，２，・・・と、縦仕切り板２ａに直交する方向に仕切る複数の横仕切り板３，３，・・・とを備え、中仕切り構造体７は、複数の縦仕切り部材２，２，・・・を隣り合った縦仕切り部材２，２の縦仕切り板２ａ，２ａが当接するように並べて配置し、複数の横仕切り板３，３，・・・を、配置された複数の縦仕切り部材２，２，・・・にそれぞれ直交させて格子状に組んで構成した。【選択図】図３
2015212152.tif 000002
【特許請求の範囲】
【請求項１】
梱包箱内に中仕切り構造体を収納し、前記中仕切り構造体に形成された収納空間に物品を収容する梱包構造であって、
平行な２枚の第１の仕切り板にそれぞれ底部を一体に構成した複数の第１の仕切り部材と、
前記第１の仕切り板に直交する方向に仕切る複数の第２の仕切り板とを備え、
前記中仕切り構造体は、
前記複数の第１の仕切り部材を隣り合った前記第１の仕切り部材の前記第１の仕切り板が当接するように並べて配置し、
前記複数の第２の仕切り板を、配置された前記複数の第１の仕切り部材にそれぞれ直交させて格子状に組んで構成されることを特徴とする梱包構造。
【請求項２】
前記中仕切り構造体の両端に位置する前記第１の仕切り部材に設けられ、当該第１の仕切り部材の底部から外側に延出され、前記中仕切り構造体を前記梱包箱に収納した際に、前記梱包箱の内部に当接する辺縁部を備えたことを特徴とする請求項１記載の梱包構造。
【発明の詳細な説明】
【技術分野】
【０００１】
この発明は、ディスク装置などの外形が平箱状の物品を梱包する梱包構造に関する。
【背景技術】
【０００２】
例えば、特許文献１には、梱包箱内の仕切りの間に物品を収納する梱包構造において、外部からの衝撃に対する仕切り部材の強度向上を目的とした技術が開示されている。
特許文献１の構造では、梱包箱の内部を格子状に仕切る複数の仕切り板のうち、梱包箱の内側面に平行に隣接する仕切り板とこれに隣接する仕切り板にそれぞれ底部を一体に構成している。これにより梱包箱の各内側面に隣接した仕切り板の強度が向上する。
【先行技術文献】
【特許文献】
【０００３】
【特許文献１】特開平４−１２８１２６号公報
【発明の概要】
【発明が解決しようとする課題】
【０００４】
特許文献１に代表される従来の技術では、梱包箱の内側面に隣接する端部の仕切り板は補強されているが、これよりも内側にある仕切り板は補強されていないため、落下などの外部からの衝撃に弱いという課題があった。
【０００５】
この発明は、上記のような課題を解決するためになされたもので、梱包箱内に収納する中仕切り構造体の強度を向上させることができる梱包構造を得ることを目的とする。
【課題を解決するための手段】
【０００６】
この発明に係る梱包構造は、梱包箱内に中仕切り構造体を収納し、中仕切り構造体に形成された収納空間に物品を収容する梱包構造であって、平行な２枚の第１の仕切り板にそれぞれ底部を一体に構成した複数の第１の仕切り部材と、第１の仕切り板に直交する方向に仕切る複数の第２の仕切り板とを備え、中仕切り構造体は、複数の第１の仕切り部材を隣り合った第１の仕切り部材の第１の仕切り板が当接するように並べて配置し、複数の第２の仕切り板を、配置された複数の第１の仕切り部材にそれぞれ直交させて格子状に組んで構成されることを特徴とする。
【発明の効果】
【０００７】
この発明によれば、梱包箱内に収納する中仕切り構造体の強度を向上させることができるという効果がある。
【図面の簡単な説明】
【０００８】
【図１】この発明の実施の形態１に係る梱包構造の分解斜視図である。
【図２】実施の形態１における縦仕切り部材を示す斜視図である。
【図３】実施の形態１における中仕切り構造体を示す斜視図である。
【図４】実施の形態１における中仕切り構造体を梱包箱に収容した状態の平面図である。
【図５】梱包対象のディスク装置を示す斜視図である。
【図６】従来の梱包構造の分解斜視図である。
【図７】従来の縦仕切り板および底面クッションを示す斜視図である。
【図８】実施の形態１における中仕切り構造体と従来の中仕切り構造体の概略側面図である。
【発明を実施するための形態】
【０００９】
実施の形態１．
図１は、この発明の実施の形態１に係る梱包構造の分解斜視図である。図２は、実施の形態１における縦仕切り部材を示す斜視図である。また、図３は、実施の形態１における中仕切り構造体を示す斜視図である。
図１において、実施の形態１に係る梱包構造は、例えば、ディスク装置４のような外形が平箱状の物品を梱包する梱包構造であって、梱包箱１、縦仕切り部材２、横仕切り板３および天面クッション５，６を備える。中仕切り構造体７は、図３に示すように、複数の縦仕切り部材２と複数の横仕切り板３とから構成される。また、図１に示すように、中仕切り構造体７と天面クッション５，６は梱包箱１に収納される。
【００１０】
縦仕切り部材２は、図２に示すように、平行な２枚の縦仕切り板２ａ，２ａにそれぞれ底部２ｃを一体に構成した第１の仕切り部材である。例えば、一枚の板状の段ボール部材の両端部を折り曲げて縦仕切り板２ａ，２ａおよび底部２ｃを構成する。
縦仕切り板２ａは、中仕切り構造体７において縦方向に仕切る第１の仕切り板であり、仕切り方向（縦方向）に沿って櫛状に複数のスリット２ｂが形成されている。
なお、縦仕切り部材２の段ボールの目はスリット２ｂと平行な方向であるものとする。
【００１１】
また、縦仕切り部材２は、隣り合った縦仕切り部材２の縦仕切り板２ａが当接するように並べて配置される。図１〜３の例では２つの縦仕切り部材２，２が並べて配置されている。中央部に位置する隣り合った縦仕切り板２ａ，２ａは互いに当接していることから、両端に位置する縦仕切り板２ａ，２ａに比べてみかけ上２倍の厚さになる。これにより、梱包箱１内に収納する中仕切り構造体７の強度を向上させることができる。
【００１２】
中仕切り構造体７の両端に位置する縦仕切り部材２には底部２ｃから外側に延出され、中仕切り構造体７を梱包箱１に収納した際に梱包箱１の内部に当接する辺縁部２ｄが形成される。例えば、図２に示すように、辺縁部２ｄは、縦仕切り板２ａの一部を切り曲げて形成されて底部２ｃに繋がった片部である。
また、ここでは、２つの縦仕切り部材２，２を用いて中仕切り構造体７を構成しているので、例えば、図２に示す２つの縦仕切り部材２，２はいずれも中仕切り構造体７の両端に位置する縦仕切り部材となる。
【００１３】
中仕切り構造体７を梱包箱１に収納した際に、辺縁部２ｄの外側端面が梱包箱１の内部に当接する。これにより、梱包箱１の横方向にかかる力に対する中仕切り構造体７の強度を向上させることができる。特に、縦仕切り部材２の段ボールの目をスリット２ｂと平行な方向にすることで、図２に示す辺縁部２ｄの段ボールの目は横方向に平行になるので、横方向に対する強度を得ることができる。
【００１４】
横仕切り板３は、縦仕切り板２ａに直交する方向に仕切る第２の仕切り板である。図３に示すように、横仕切り板３は、縦仕切り板２ａのスリット２ｂに嵌合されて組み付けられる。また、横仕切り板３には上部に突部３ａが形成されている。この突部３ａは、天面クッション５の孔部に嵌合する。
【００１５】
図３に示す中仕切り構造体７を梱包箱１に収納することで、図４に示すように、縦仕切り板２ａと横仕切り板３によって細長い矩形状の開口を有する収容空間８が形成される。図４の例では、隣り合う縦仕切り部材２によって２列の収容空間８が複数形成されている。この収容空間８に図５のディスク装置４が収容される。ディスク装置４を収容空間８に収容した後に、天面クッション５の孔部に横仕切り板３の突部３ａをそれぞれ嵌合させることで、天面クッション５を中仕切り構造体７上に配置する。さらにその上に板状の天面クッション６を配置してから梱包する。
【００１６】
図６は、従来の梱包構造の分解斜視図である。また、図７は、従来の縦仕切り板および底面クッションを示す斜視図である。従来の一般的な梱包構造では、図６に示すように、底面クッション１００と縦仕切り板１０１とが別体に形成されている。すなわち、従来の中仕切り構造体は、複数の縦仕切り板１０１と複数の横仕切り板１０２を格子状に組んだものを、底面クッション１００上に配置した構造体となる。
この中仕切り構造体において、縦仕切り板１０１は、図７に示すように底面クッション１００上に１枚ずつ並んだ状態となっている。
【００１７】
図８は、実施の形態１における中仕切り構造体と従来の中仕切り構造体の概略側面図である。なお、図８（ａ）に示す従来の中仕切り構造体１０４は、図６および図７に示した構造である。従来の構造は、図６に示す側面Ｓ１，Ｓ２、底面と側面の稜線Ｌ１，Ｌ２、および稜角Ｃ１方向から梱包箱１を落下させた場合に強度が不十分である。
【００１８】
例えば、側面Ｓ１から梱包箱１を落下させると、梱包箱１に対して縦仕切り板１０１に沿った方向（縦方向）の外力が生じ縦仕切り板１０１に潰れが発生する。
一般に、上方からの力に対する強度を得るため、縦仕切り板１０１の段ボールの目は、図７に示すスリット１０１ａに沿った方向となっている。従って、縦仕切り板１０１は、段ボールの目に直交する縦方向の強度は弱い。
【００１９】
梱包箱１に縦仕切り板１０１に沿った方向（縦方向）の外力が加わると、図８（ａ）に示す左側（Ｌ）、中央（Ｍ）、右側（Ｒ）の縦仕切り板１０１が変形する。
このとき、中央（Ｍ）の縦仕切り板１０１には、横仕切り板１０２を介して、左側（Ｌ）の縦仕切り板１０１と右側（Ｒ）の縦仕切り板１０１の変形による応力もそれぞれ加わる。
従って、中央（Ｍ）の縦仕切り板１０１には、左側（Ｌ）と右側（Ｒ）の縦仕切り板１０１のおよそ２倍の力が加わることになる。これにより、中央（Ｍ）の縦仕切り板１０１の潰れが顕著に発生する。
【００２０】
これに対して、本発明における中仕切り構造体７では、図８（ｂ）に示すように、中央（Ｍ）に位置する隣り合った縦仕切り板２ａ，２ａは互いに当接しており、左側（Ｌ）と右側（Ｒ）の縦仕切り板２ａに比べてみかけ上２倍の厚さになっている。
従って、梱包箱１に縦仕切り板２ａに沿った方向（縦方向）の外力が加わっても、中央（Ｍ）の縦仕切り板２ａ，２ａは、左側（Ｌ）と右側（Ｒ）の縦仕切り板２ａに比して強度が向上しているため、従来のような潰れが発生することを抑制できる。
【００２１】
また、従来の構造では、側面Ｓ２から梱包箱１を落下させると、梱包箱１に対して横仕切り板１０２に沿った方向（横方向）の外力が生じて、中仕切り構造体１０４における横仕切り板１０２に潰れが発生する。同様に、底面と側面の稜線Ｌ１，Ｌ２および稜角Ｃ１方向から梱包箱１を落下させた場合にも、縦仕切り板１０１と横仕切り板１０２に潰れが顕著に発生する。
【００２２】
これに対して、本発明における縦仕切り部材２は、図８（ｂ）に示すように、縦仕切り板２ａ，２ａにそれぞれ底部２ｃが一体に構成されており、横方向にも補強されている。
さらに中央（Ｍ）に位置する隣り合った縦仕切り板２ａ，２ａは互いに当接しており、左側（Ｌ）と右側（Ｒ）の縦仕切り板２ａに比べてみかけ上２倍の厚さになっている。
これにより、従来の構造よりも強度が向上しており、側面Ｓ２、稜線Ｌ１，Ｌ２および稜角Ｃ１のいずれの方向から梱包箱１を落下させた場合であっても、中仕切り構造体７における縦仕切り板２ａと横仕切り板３の潰れを格段に抑えることができる。
さらに、辺縁部２ｄを形成すれば、横方向の強度がさらに向上するため、側面Ｓ２から梱包箱１を落下させた場合における横仕切り板３の潰れを抑えることができる。
【００２３】
以上のように、この実施の形態１によれば、平行な２枚の縦仕切り板２ａ，２ａにそれぞれ底部２ｃを一体に構成した複数の縦仕切り部材２，２，・・・と、縦仕切り板２ａに直交する方向に仕切る複数の横仕切り板３，３，・・・とを備え、中仕切り構造体７は、複数の縦仕切り部材２，２，・・・を隣り合った縦仕切り部材２，２の縦仕切り板２ａ，２ａが当接するように並べて配置し、複数の横仕切り板３，３，・・・を、配置された複数の縦仕切り部材２，２，・・・にそれぞれ直交させて格子状に組んで構成した。
このように中仕切り構造体７では隣り合う縦仕切り部材２，２の縦仕切り板２ａ，２ａが当接しているので、端部に位置する縦仕切り板２ａに比して内側の縦仕切り板２ａ部分の厚さが見かけ上２倍になる。このため中仕切り構造体７の強度を向上させることができる。
【００２４】
また、この実施の形態１によれば、中仕切り構造体の両端に位置する縦仕切り部材２に設けられ、縦仕切り部材２の底部２ｃから外側に延出され、中仕切り構造体を梱包箱１に収納した際に、梱包箱１の内部に当接する辺縁部２ｄを備える。中仕切り構造体７を梱包箱１に収納した際に、辺縁部２ｄの外側端面が梱包箱１の内部に当接するので、梱包箱１の横方向にかかる力に対する中仕切り構造体７の強度を向上させることができる。
【００２５】
なお、本発明はその発明の範囲内において、実施の形態の任意の構成要素の変形、もしくは実施の形態の任意の構成要素の省略が可能である。
【符号の説明】
【００２６】
１  梱包箱、２  縦仕切り部材、２ａ，１０１  縦仕切り板、２ｂ，１０１ａ  スリット、２ｃ  底部、２ｄ  辺縁部、３，１０２  横仕切り板、４  ディスク装置、５，６，１０３  天面クッション、７，１０４  中仕切り構造体、８  収容空間、１００  底面クッション。
【図１】
2015212152.tif 000003
【図２】
2015212152.tif 000004
【図３】
2015212152.tif 000005
【図４】
2015212152.tif 000006
【図５】
2015212152.tif 000007
【図６】
2015212152.tif 000008
【図７】
2015212152.tif 000009
【図８】
2015212152.tif 000010